(57)【要約】【課題】複数本のボルトの軸部が短くも長くもなく、設計上設定された正しい長さの正規ボルトであることを認知した後に、当該複数本のボルトを、被締結部品における複数のボルト穴へ位置決めを行った状態で同時に供給できるボルト供給治具を提供すること。【解決手段】ボルト供給治具１は、複数本のボルト８の軸部８２を保持する保持穴２１を複数形成してなるベースプレート２と、ベースプレート２の保持穴２１に保持する複数本のボルト８の軸部８２の先端を当接させる基準台３と、ベースプレート２の上に配置する下治具プレート４と、下治具プレート４の上側に、下治具プレート４と相対的にスライド可能に取り付けた上治具プレート５とを有している。ボルト供給治具１は、複数本のボルト８の軸部８２の長さに誤りがないかを判別し、この判別を行った複数本のボルト８を位置決めを行って被締結部品における複数のボルト穴へ同時に供給することができる。【選択図】図１
2008142865.tif 000002
【特許請求の範囲】
【請求項１】
頭部と軸部とからなる複数本のボルトを、上記頭部を上にして起立状態で位置決めを行うと共に上記軸部の長さを判別し、被締結部品における複数のボルト穴へ所定の長さのボルトを同時に供給するためのボルト供給治具であって、
上記複数本のボルトの上記軸部を保持する保持穴を複数形成してなるベースプレートと、
該ベースプレートの上記保持穴に保持する上記複数本のボルトの上記軸部の先端を当接させる基準台と、
上記ベースプレートの上に配置する下治具プレートと、
該下治具プレートの上側に、該下治具プレートと相対的にスライド可能に取り付けた上治具プレートとを有しており、
上記下治具プレートは、上記ボルトの上記頭部が通過するよう上下に貫通させた下側通過口と、上記ボルトの上記軸部を挿入可能であると共に上記ボルトの上記頭部の外径よりも幅狭の下側挿入溝と、を連通形成してなる下側連通穴を複数有しており、
上記上治具プレートは、上記ボルトの上記頭部を挿入するよう上下に貫通させた上側挿入口と、上部に形成した上側天井部の下側に上記ボルトの上記頭部を収容可能である上側収容空間と、を連通形成してなる上側連通穴を複数有しており、
上記上治具プレートと上記下治具プレートとは、上記複数の上側連通穴における上記上側挿入口と、上記複数の下側連通穴における上記下側通過口とが上下に対向する原位置と、
上記複数の上側連通穴における上記上側挿入口と、上記複数の下側連通穴における上記下側挿入溝とが上下に対向する第１スライド位置と、
上記複数の上側連通穴における上記上側収容空間と、上記複数の下側連通穴における上記下側挿入溝とが上下に対向する第２スライド位置と、
上記複数の上側連通穴における上記上側収容空間と、上記複数の下側連通穴における上記下側通過口とが上下に対向する供給位置とに相対的にスライド可能であり、
上記上治具プレート及び上記下治具プレートを上記原位置にすると共に上記ベースプレートの上に配置し、上下に対向させた上記上側挿入口、上記下側通過口及び上記保持穴を介して、上記複数本のボルトの上記軸部を上記基準台上に支持した状態において、上記上治具プレート及び上記下治具プレートを上記第１スライド位置に相対的にスライドさせた際、上記複数本のボルトの上記軸部が上記下側挿入溝内に挿入されたときに、上記複数本のボルトの上記軸部が短くないことを判別する第１判別動作と、上記上治具プレート及び上記下治具プレートを上記第２スライド位置に相対的にスライドさせた際、上記複数本のボルトの上記頭部が上記上側天井部に干渉することなく上記上側収容空間内に挿入されたときに、上記複数本のボルトの上記軸部が長くないことを判別する第２判別動作とが可能であり、
かつ、上記上治具プレート及び上記下治具プレートを上記被締結部品における複数のボルト穴の形成位置まで移動させた状態において、上記上治具プレート及び上記下治具プレートを上記供給位置に相対的にスライドさせ、上記複数本のボルトの上記頭部を上記下側通過口を介して下方へ抜き出して、当該複数本のボルトを上記複数のボルト穴へ同時に供給する供給動作が可能であることを特徴とするボルト供給治具。
【請求項２】
請求項１において、上記上治具プレートと上記下治具プレートとは、直交する２つの平面方向へ相対的にスライド可能であり、
上記下治具プレートの上記複数の下側連通穴において、上記下側通過口と上記下側挿入溝とは、上記２つの平面方向のうちの第１スライド方向に沿って連通形成してあり、
上記上治具プレートの上記複数の上側連通穴において、上記上側挿入口と上記上側収容空間とは、上記２つの平面方向のうちの第２スライド方向に沿って連通形成してあることを特徴とするボルト供給治具。
【請求項３】
請求項１又は２において、上記基準台は、上記ベースプレートに連結部材を介して下側から固定した基準プレートと、上記ベースプレートにおける上記複数の保持穴の形成位置に対応して上記基準プレート上に設けた複数の基準ブロックとを有しており、
上記上治具プレート及び上記下治具プレートを上記ベースプレート上に配置したときには、上記基準ブロックの上面から上記下治具プレートの上面までの距離が、上記長さの判別を行う上記ボルトの上記軸部の正規長さとなるよう構成したことを特徴とするボルト供給治具。
【請求項４】
請求項１〜３のいずれか一項において、上記下治具プレートの上記複数の下側連通穴において、上記下側挿入溝は、その溝先端部の中心から上記下側通過口の中心までの長さが、上記ボルトの上記頭部の外径の０．５倍以上１倍以下の長さになっており、
上記上治具プレートの上記複数の上側連通穴において、上記上側収容空間は、上記上側天井部を残したザグリ形状に形成してあると共に、その空間先端部の中心から上記上側挿入口の中心までの長さが、上記ボルトの上記頭部の外径の０．５倍以上１倍以下の長さになっていることを特徴とするボルト供給治具。
【請求項５】
請求項２〜４のいずれか一項において、上記上治具プレートと上記下治具プレートとは、互いにスライド可能な状態で複数の連結ピンによって連結してあり、
上記下治具プレートには、上記第１スライド方向に沿って上記連結ピンを摺動させる下側摺動穴が形成してあり、上記上治具プレートには、上記第２スライド方向に沿って上記連結ピンを摺動させる上側摺動穴が形成してあり、
上記上治具プレート及び上記下治具プレートは、上記複数の連結ピンの下端部を、上記ベースプレートに形成した複数の位置決め凹部内に配置することによって、該ベースプレートに対する位置決めを行うよう構成したことを特徴とするボルト供給治具。
【請求項６】
請求項５において、上記複数の連結ピンの下端部を上記各位置決め凹部内に配置したときには、上記下治具プレートと上記ベースプレートとの間には、所定の間隙が形成されるよう構成したことを特徴とするボルト供給治具。
【請求項７】
請求項１〜６のいずれか一項において、上記上治具プレートと上記下治具プレートとは、一方に、位置固定用プランジャが設けてあると共に、他方に、位置固定用プランジャにおける出没可能ボールを上記２つの平面方向にガイドするガイド溝部と、上記出没可能ボールを保持するボール保持凹部とが設けてあり、
上記上治具プレート及び上記下治具プレートは、上記出没可能ボールを上記ガイド溝部に沿って相対的に移動させることによって、上記原位置、上記第１スライド位置、上記第２スライド位置及び上記供給位置の４つの位置にスライド可能であると共に、上記出没可能ボールを上記ボール保持凹部内に保持させることによって、上記４つの位置に固定可能であることを特徴とするボルト供給治具。
【請求項８】
請求項１〜７のいずれか一項において、上記被締結部品は、オートマチックトランスミッションに用いるバルブボディであることを特徴とするボルト供給治具。
【発明の詳細な説明】
【技術分野】
【０００１】
本発明は、複数本のボルトの位置決め及び長さ判別を行って、被締結部品における各ボルト穴へ同時に供給することができるボルト供給治具に関する。
【背景技術】
【０００２】
複数本のボルトを用いて締結を行う各種の被締結部品においては、軸部の長さの異なる複数種類のボルトが使用されることが多い。そのため、ボルトの締結を行う作業者は、複数種類のボルトを別個に保管する複数の通箱から、１本ずつ必要とする長さのボルトを選別して取り出している。
【０００３】
一方、特許文献１に開示されたボルト供給装置等においては、複数本のボルトを能率良く被供給部に受け渡すための工夫を行っている。このボルト供給装置は、ロボットハンドによって移動させることの可能なボルトホルダと、一定角度ずつ間欠回転するピッチ送り部材を備えたボルト装填機構とを有している。ボルトホルダは、所定ピッチで１列に並ぶ複数のボルト受入れ部を備えており、ボルト装填機構におけるピッチ送り部材がボルトホルダを１ピッチずつ前進させる毎に、複数のボルト受入れ部にボルトが入るようにしている。これにより、ロボットハンドによってボルトホルダを所定の被供給部に移動させたときには、被供給部へ複数本のボルトを同時に供給することができる。
【０００４】
しかしながら、上記特許文献１等の従来技術においては、ボルトホルダにおけるボルト受入れ部に、設計上設定された正しい長さの正規ボルトとは長さの異なる異種ボルトが混入してしまったときに、この異種ボルトを正規ボルトから分別することはできない。
そのため、設計上設定された正しい長さの正規ボルトを、位置決めを行って同時に被締結部品へ供給するためには更なる工夫が必要とされていた。
【０００５】
【特許文献１】特開２０００−２５４８２３号公報
【発明の開示】
【発明が解決しようとする課題】
【０００６】
本発明は、かかる従来の問題点に鑑みてなされたもので、複数本のボルトの軸部が短くも長くもなく、設計上設定された正しい長さの正規ボルトであることを認知した後に、当該複数本のボルトを、被締結部品における複数のボルト穴へ位置決めを行った状態で同時に供給することができるボルト供給治具を提供しようとするものである。
【課題を解決するための手段】
【０００７】
本発明は、頭部と軸部とからなる複数本のボルトを、上記頭部を上にして起立状態で位置決めを行うと共に上記軸部の長さを判別し、被締結部品における複数のボルト穴へ所定の長さのボルトを同時に供給するためのボルト供給治具であって、
上記複数本のボルトの上記軸部を保持する保持穴を複数形成してなるベースプレートと、
該ベースプレートの上記保持穴に保持する上記複数本のボルトの上記軸部の先端を当接させる基準台と、
上記ベースプレートの上に配置する下治具プレートと、
該下治具プレートの上側に、該下治具プレートと相対的にスライド可能に取り付けた上治具プレートとを有しており、
上記下治具プレートは、上記ボルトの上記頭部が通過するよう上下に貫通させた下側通過口と、上記ボルトの上記軸部を挿入可能であると共に上記ボルトの上記頭部の外径よりも幅狭の下側挿入溝と、を連通形成してなる下側連通穴を複数有しており、
上記上治具プレートは、上記ボルトの上記頭部を挿入するよう上下に貫通させた上側挿入口と、上部に形成した上側天井部の下側に上記ボルトの上記頭部を収容可能である上側収容空間と、を連通形成してなる上側連通穴を複数有しており、
上記上治具プレートと上記下治具プレートとは、上記複数の上側連通穴における上記上側挿入口と、上記複数の下側連通穴における上記下側通過口とが上下に対向する原位置と、
上記複数の上側連通穴における上記上側挿入口と、上記複数の下側連通穴における上記下側挿入溝とが上下に対向する第１スライド位置と、
上記複数の上側連通穴における上記上側収容空間と、上記複数の下側連通穴における上記下側挿入溝とが上下に対向する第２スライド位置と、
上記複数の上側連通穴における上記上側収容空間と、上記複数の下側連通穴における上記下側通過口とが上下に対向する供給位置とに相対的にスライド可能であり、
上記上治具プレート及び上記下治具プレートを上記原位置にすると共に上記ベースプレートの上に配置し、上下に対向させた上記上側挿入口、上記下側通過口及び上記保持穴を介して、上記複数本のボルトの上記軸部を上記基準台上に支持した状態において、上記上治具プレート及び上記下治具プレートを上記第１スライド位置に相対的にスライドさせた際、上記複数本のボルトの上記軸部が上記下側挿入溝内に挿入されたときに、上記複数本のボルトの上記軸部が短くないことを判別する第１判別動作と、上記上治具プレート及び上記下治具プレートを上記第２スライド位置に相対的にスライドさせた際、上記複数本のボルトの上記頭部が上記上側天井部に干渉することなく上記上側収容空間内に挿入されたときに、上記複数本のボルトの上記軸部が長くないことを判別する第２判別動作とが可能であり、
かつ、上記上治具プレート及び上記下治具プレートを上記被締結部品における複数のボルト穴の形成位置まで移動させた状態において、上記上治具プレート及び上記下治具プレートを上記供給位置に相対的にスライドさせ、上記複数本のボルトの上記頭部を上記下側通過口を介して下方へ抜き出して、当該複数本のボルトを上記複数のボルト穴へ同時に供給する供給動作が可能であることを特徴とするボルト供給治具にある（請求項１）。
【０００８】
本発明のボルト供給治具は、上記ベースプレート、基準台、下治具プレート及び上治具プレートを有している。そして、ベースプレート及び基準台に対して、下治具プレート及び上治具プレートを係合させた状態において、当該ボルト供給治具に配置した複数本のボルトの軸部の長さに誤りがないかを判別することができる。この判別を行う際には、複数本のボルトの配置状態を、被締結部品における複数のボルト穴の形成状態に合わせることができる。そして、上記判別を行った後には、複数本のボルトを保持した下治具プレート及び上治具プレートを被締結部品における複数のボルト穴の形成位置まで移動させて、この複数のボルト穴へ同時に供給することができる。
【０００９】
具体的には、下治具プレートは、上記下側通過口と上記下側挿入溝とを連通形成してなる下側連通穴を複数形成してなり、上治具プレートは、上記上側挿入口と、上記上側天井部を備えた上側収容空間とを連通形成してなる上側連通穴を複数形成してなる。また、上治具プレートと下治具プレートとは、上記原位置、第１スライド位置、第２スライド位置及び供給位置の４つの位置に相対的にスライド可能である。
【００１０】
そして、複数本のボルトの軸部の長さに誤りがないかを判定する際には、上治具プレート及び下治具プレートを、ベースプレート及び基準台に対する規定位置にセットする。このとき、下治具プレートと上治具プレートとは、複数の上側連通穴における上側挿入口と、複数の下側連通穴における下側通過口とが上下に対向する原位置にすることにより、上側挿入口及び下側通過口は、ベースプレートにおける保持穴と上下に対向する。そして、上下に対向した上側挿入口、下側通過口及び保持穴を介して、複数本のボルトを基準台上に載置する。
【００１１】
次いで、第１判別動作として、基準台上に載置した複数本のボルトが短くないか否かを判別する。具体的には、上記複数本のボルトを基準台上に載置した状態において、上治具プレート及び下治具プレートを、複数の上側連通穴における上側挿入口と、複数の下側連通穴における下側挿入溝とが上下に対向する第１スライド位置に相対的にスライドさせようとする。
【００１２】
このとき、複数本のボルトが短くない場合には、当該複数本のボルトは、その頭部が下側挿入溝の上側に配置され、その軸部が下側挿入溝内に挿入される。そのため、この場合には、上治具プレート及び下治具プレートを第１スライド位置に相対的にスライドさせることができ、複数本のボルトが短くないことを判別することができる。
一方、仮に、複数本のボルトのうちのいずれかが短い場合には、当該短いボルトは、その頭部が下側挿入溝の入口部に干渉し、その軸部が下側挿入溝内に挿入されない。そのため、この場合には、上治具プレート及び下治具プレートを第１スライド位置に相対的にスライドさせることができず、複数本のボルトの中に長さが短い異種ボルトが混入したことを認知することができる。
【００１３】
また、上記第１判別動作を行う際には、第２判別動作として、基準台上に載置した複数本のボルトが長くないか否かを判別する。具体的には、上記複数本のボルトを基準台上に載置した状態において、上治具プレート及び下治具プレートを、複数の上側連通穴における上側収容空間と、複数の下側連通穴における下側挿入溝とが上下に対向する第２スライド位置に相対的にスライドさせようとする。
【００１４】
このとき、複数本のボルトが長くない場合には、当該複数本のボルトは、その頭部が上側天井部に干渉することなく上側収容空間内に収容される。そのため、この場合には、上治具プレート及び下治具プレートを第２スライド位置に相対的にスライドさせることができ、複数本のボルトが長くないことを判別することができる。
一方、仮に、複数本のボルトのうちのいずれかが長い場合には、当該長いボルトは、その頭部が上側天井部の入口部に干渉し、上側収容空間内に収容されない。そのため、この場合には、上治具プレート及び下治具プレートを第２スライド位置に相対的にスライドさせることができず、複数本のボルトの中に長さが長い異種ボルトが混入したことを認知することができる。
【００１５】
なお、上記第１判別動作と第２判別動作とは、いずれかを先にして順番に行うことができ、また、上記第１判別動作と第２判別動作とは、同時に行うこともできる。
次いで、供給動作として、複数本のボルトを被締結部品における複数のボルト穴へ供給する。具体的には、上治具プレート及び上記下治具プレートをベースプレートから分離させると共に、上治具プレート及び下治具プレートを被締結部品における複数のボルト穴の形成位置まで移動させる。
【００１６】
そして、上治具プレート及び下治具プレートに保持した各ボルトの軸部を、各ボルト穴の上部に配置する又は各ボルト穴内に挿入して、上治具プレート及び下治具プレートを、複数の上側連通穴における上側収容空間と、複数の下側連通穴における下側通過口とが対向する供給位置に相対的にスライドさせる。これにより、複数本のボルトの頭部を下側通過口を介して下方へ抜き出し、当該複数本のボルトを複数のボルト穴へ同時に供給することができる。
【００１７】
以上のように、本発明のボルト供給治具によれば、複数本のボルトの軸部が短くも長くもなく、設計上設定された正しい長さの正規ボルトであることを認知した後に、当該複数本のボルトを、被締結部品における複数のボルト穴へ位置決めを行った状態で同時に供給することができる。
【発明を実施するための最良の形態】
【００１８】
上述した本発明における好ましい実施の形態につき説明する。
本発明において、上記上治具プレートと上記下治具プレートとは、直交する２つの平面方向へ相対的にスライド可能とし、上記下治具プレートの上記複数の下側連通穴において、上記下側通過口と上記下側挿入溝とは、上記２つの平面方向のうちの第１スライド方向に沿って連通形成し、上記上治具プレートの上記複数の上側連通穴において、上記上側挿入口と上記上側収容空間とは、上記２つの平面方向のうちの第２スライド方向に沿って連通形成することが好ましい（請求項２）。
【００１９】
この場合には、上治具プレートと下治具プレートとの相対的なスライド操作を、安定して行うことができる。
なお、上記上治具プレートと上記下治具プレートとは、１つのスライド方向へ相対的にスライド可能とし、上記下治具プレートの上記複数の下側連通穴において、上記下側通過口と上記下側挿入溝とは、上記１つのスライド方向に沿って連通形成し、上記上治具プレートの上記複数の上側連通穴において、上記上側挿入口と上記上側収容空間とも、上記１つのスライド方向に沿って連通形成することもできる。
【００２０】
また、上記基準台は、上記ベースプレートに連結部材を介して下側から固定した基準プレートと、上記ベースプレートにおける上記複数の保持穴の形成位置に対応して上記基準プレート上に設けた複数の基準ブロックとを有しており、上記上治具プレート及び上記下治具プレートを上記ベースプレート上に配置したときには、上記基準ブロックの上面から上記下治具プレートの上面までの距離が、上記長さの判別を行う上記ボルトの上記軸部の正規長さとなるよう構成することが好ましい（請求項３）。
【００２１】
上記複数の基準ブロックを用いることにより、各ボルト毎に基準ブロックの高さを設定することができる。そのため、上記被締結部品へ供給する複数本のボルトの軸部同士の設計上の長さが異なる場合には、各ボルトの軸部の長さに対応して、高さが異なる複数種類の基準ブロックを用いることができる。これにより、設計上の軸部の長さが異なる複数本のボルトに対しても、容易に対応することができる。
【００２２】
また、上記基準ブロックの上面から下治具プレートの上面までの距離を、長さの判別を行うボルトの軸部の正規長さとしたことにより、特に、下治具プレートの複数の下側連通穴における下側挿入溝の形状を簡単にすることができる。
なお、上記ボルトの軸部の正規長さとは、所定のボルト穴に対して設計上設定された軸部の正しい長さのことをいう。
【００２３】
また、上記下治具プレートの上記複数の下側連通穴において、上記下側挿入溝は、その溝先端部の中心から上記下側通過口の中心までの長さを、上記ボルトの上記頭部の外径の０．５倍以上１倍以下の長さにし、上記上治具プレートの上記複数の上側連通穴において、上記上側収容空間は、上記上側天井部を残したザグリ形状に形成してあると共に、その空間先端部の中心から上記上側挿入口の中心までの長さを、上記ボルトの上記頭部の外径の０．５倍以上１倍以下の長さにすることが好ましい（請求項４）。
【００２４】
この場合には、下側通過口に対して、下治具プレートの平面方向に連通形成する下側挿入溝の形成距離を長くし過ぎることなく、適切に形成することができる。また、上側挿入口に対して、上治具プレートの平面方向に連通形成する上側収容空間の形成距離を長くし過ぎることなく、適切に形成することができる。
【００２５】
なお、下側挿入溝の溝先端部の中心とは、この溝先端部内にボルトの軸部を配置したときのボルトの中心位置のことをいう。また、上側収容空間の空間先端部の中心とは、この空間先端部内にボルトの頭部を配置したときのボルトの中心位置のことをいう。
また、上記上側天井部は、ザクリ形状として形成する以外にも、例えば、貫通穴に対して水平方向に邪魔棒を設けることによって形成することもでき、また、貫通穴の上方から邪魔板を貼り付けることによって形成することもできる。
【００２６】
また、上記上治具プレートと上記下治具プレートとは、互いにスライド可能な状態で複数の連結ピンによって連結し、上記下治具プレートには、上記第１スライド方向に沿って上記連結ピンを摺動させる下側摺動穴を形成し、上記上治具プレートには、上記第２スライド方向に沿って上記連結ピンを摺動させる上側摺動穴を形成し、上記上治具プレート及び上記下治具プレートは、上記複数の連結ピンの下端部を、上記ベースプレートに形成した複数の位置決め凹部内に配置することによって、該ベースプレートに対する位置決めを行うよう構成することが好ましい（請求項５）。
【００２７】
この場合には、複数の連結ピンを用いることによって、上治具プレートと下治具プレートとを簡単な構造で互いにスライド可能にすることができる。また、複数の連結ピンの下端部を利用して、ベースプレートに対する上治具プレート及び下治具プレートの位置決めを行うことによって、ベースプレートに対して上治具プレート及び下治具プレートがそれぞれ独立してスライドする構造を容易に形成することができる。
【００２８】
また、上記複数の連結ピンの下端部を上記各位置決め凹部内に配置したときには、上記下治具プレートと上記ベースプレートとの間には、所定の間隙が形成されることが好ましい（請求項６）。
この場合には、複数の連結ピンの長さを適切に設定することにより、上記所定の間隙を適切な寸法に形成することができる。また、上記所定の間隙を形成したことにより、例えば、ベースプレート上に、埃や塵等の異物が堆積された場合でも、ベースプレート上において、上治具プレート及び下治具プレートを安定して相対的にスライドさせることができる。
【００２９】
また、上記上治具プレートと上記下治具プレートとは、一方に、位置固定用プランジャを設けると共に、他方に、上記位置固定用プランジャにおける出没可能ボールを上記２つの平面方向にガイドするガイド溝部と、上記出没可能ボールを保持するボール保持凹部とを設け、上記上治具プレート及び上記下治具プレートは、上記出没可能ボールを上記ガイド溝部に沿って相対的に移動させることによって、上記原位置、上記第１スライド位置、上記第２スライド位置及び上記供給位置の４つの位置にスライド可能とし、上記出没可能ボールを上記ボール保持凹部内に保持させることによって、上記４つの位置に固定可能とすることが好ましい（請求項７）。
この場合には、上記位置固定用ボールプランジャを用いることによって、上治具プレート及び下治具プレートを上記４つの位置に安定した維持させることができる。
【００３０】
また、上記被締結部品は、オートマチックトランスミッションに用いるバルブボディとすることができる（請求項８）。
この場合には、上記長さに誤りがないかを判別した複数本のボルトを、上記バルブボディに形成した複数のボルト穴へ同時に供給することができる。
【実施例】
【００３１】
以下に、本発明のボルト供給治具にかかる実施例につき、図面と共に説明する。
本例のボルト供給治具１は、図１〜図３に示すごとく、頭部８１と軸部８２とからなる複数本のボルト８を、頭部８１を上にして起立状態で位置決めを行うと共に長さを判別し、被締結部品７における複数のボルト穴７１１へ所定の長さのボルト８を同時に供給することができるものである。
【００３２】
図１、図３に示すごとく、ボルト供給治具１は、複数本のボルト８の軸部８２を保持する保持穴２１を複数形成してなるベースプレート２と、ベースプレート２の保持穴２１に保持する複数本のボルト８の軸部８２の先端を当接させる基準台３と、ベースプレート２の上に配置する下治具プレート４と、下治具プレート４の上側に、下治具プレート４と相対的にスライド可能に取り付けた上治具プレート５とを有している。
【００３３】
図３、図１１〜図１３に示すごとく、下治具プレート４は、ボルト８の頭部８１が通過するよう上下に貫通させた下側通過口４１１と、ボルト８の軸部８２を挿入可能である下側挿入溝４１２とを連通形成してなる下側連通穴４１を複数有している。下側挿入溝４１２は、ボルト８の頭部８１の外径よりも幅狭に形成してある。
上治具プレート５は、ボルト８の頭部８１を挿入するよう上下に貫通させた上側挿入口５１１と、ボルト８の頭部８１を収容可能である上側収容空間５１２とを連通形成してなる上側連通穴５１を複数有している。上側収容空間５１２は、その上部に、ボルト８の頭部８１を下側に収容するための上側天井部５１３を形成してなる。
【００３４】
図７〜図１０に示すごとく、上治具プレート５と下治具プレート４とは、原位置４０１、第１スライド位置４０２、第２スライド位置４０３及び供給位置４０４の４つの位置に相対的にスライド可能である。図７に示すごとく、原位置４０１は、複数の上側連通穴５１における上側挿入口５１１と、複数の下側連通穴４１における下側通過口４１１とが上下に対向する（重なる）位置として設定してある。図８に示すごとく、第１スライド位置４０２は、複数の上側連通穴５１における上側挿入口５１１と、複数の下側連通穴４１における下側挿入溝４１２とが上下に対向する（重なる）位置として設定してある。
【００３５】
図９に示すごとく、第２スライド位置４０３は、複数の上側連通穴５１における上側収容空間５１２と、複数の下側連通穴４１における下側挿入溝４１２とが上下に対向する（重なる）位置として設定してある。図１０に示すごとく、供給位置４０４は、複数の上側連通穴５１における上側収容空間５１２と、複数の下側連通穴４１における下側通過口４１１とが上下に対向する（重なる）位置として設定してある。
【００３６】
そして、本例のボルト供給治具１は、次のようにして、複数本のボルト８の軸部８２の長さを判別し、この判別の結果、正規の長さの複数本のボルト８を被締結部品７における複数のボルト穴７１１へ同時に供給することができる。
すなわち、図１、図７に示すごとく、ボルト供給治具１は、上治具プレート５及び下治具プレート４を原位置４０１にすると共にベースプレート２の上に配置し、上下に対向させた上側挿入口５１１、下側通過口４１１及び保持穴２１を介して、複数本のボルト８の軸部８２を基準台３上に支持した状態において、次の第１判別動作を行って複数本のボルト８が短くないかを判別し、次の第２判別動作を行って複数本のボルト８が長くないかを判別することができる。
【００３７】
図１４、図１５に示すごとく、第１判別動作においては、上治具プレート５及び下治具プレート４を第１スライド位置４０２に相対的にスライドさせた際、複数本のボルト８の軸部８２が下側挿入溝４１２内に挿入されたときに、複数本のボルト８が短くないことを判別することができる。図１７、図１８に示すごとく、第２判別動作においては、上治具プレート５及び下治具プレート４を第２スライド位置４０３に相対的にスライドさせた際、複数本のボルト８の頭部８１が上側天井部５１３に干渉することなく上側収容空間５１２内に挿入されたときに、複数本のボルト８が長くないことを判別することができる。
【００３８】
そして、図２、図１０に示すごとく、本例のボルト供給治具１は、上治具プレート５及び下治具プレート４を被締結部品７における複数のボルト穴７１１の形成位置まで移動させた状態において、次の供給動作を行って、上記判別を行った複数本のボルト８を被締結部品７における複数のボルト穴７１１へ同時に供給することができる。
図２０、図２１に示すごとく、供給動作においては、上治具プレート５及び下治具プレート４を供給位置４０４に相対的にスライドさせ、複数本のボルト８の頭部８１を下側通過口４１１を介して下方へ抜き出して、当該複数本のボルト８を複数のボルト穴７１１へ同時に供給することができる。
【００３９】
以下に、本例のボルト供給治具１につき、図１〜図２８と共に詳説する。
本例のボルト供給治具１は、作業者による手動操作によって、上治具プレート５及び下治具プレート４を操作して、複数本のボルト８の軸部８２の長さに誤りがないかを判別した後、当該複数本のボルト８を被締結部品７へ供給することができるものである。
本例の被締結部品７は、オートマチックトランスミッションに用いるバルブボディ７である。このバルブボディ７は、図２、図１０に示すごとく、内部に種々のバルブ油圧回路等を配置し、２つのボディ構成部品７１、７２を合わせて（積み重ねて）、複数本のボルト８によって締結（共締め）するよう構成されている。
【００４０】
各ボルト８は、その軸部８２にネジ部を形成してなる。また、各ボルト８としては、頭部８１が六角形状を有する六角ボルト、又は頭部８１が丸形状を有するキャップボルト等の種々のボルト８を用いることができる。本例のボルト８は、六角ボルトである。
また、図２１に示すごとく、バルブボディ７においては、工場内の組付工程において、上側に配置した一方のボディ構成部品７１にボルト穴７１１（貫通穴）が形成してあり、下側に配置した他方のボディ構成部品７２には、ボルト８の軸部８２におけるネジ部を螺合するネジ穴７２１が形成してある。
【００４１】
図２、図１０に示すごとく、本例の上治具プレート５及び下治具プレート４は、平板形状を有しており、被締結部品７において略平面状に配置された複数のボルト穴７１１に対して、複数本のボルト８を同時に供給可能である。
図１、図３に示すごとく、上治具プレート５及び下治具プレート４には、これらを相互にスライドさせるときに用いるスライド用操作部４５、５５が設けてある。また、上治具プレート５には、上治具プレート５及び下治具プレート４をベースプレート２と被締結部品７との間で移動させるときに用いる移動用取手部５６が設けてある。
【００４２】
図３に示すごとく、本例の上治具プレート５と下治具プレート４とは、直交する２つの平面方向（第１スライド方向Ｓ１及び第２スライド方向Ｓ２）へ相対的にスライド可能である。下治具プレート４の複数の下側連通穴４１において、下側通過口４１１と下側挿入溝４１２とは、２つの平面方向のうちの第１スライド方向Ｓ１に沿って連通形成してある。また、下側挿入溝４１２は、第１スライド方向Ｓ１に沿って長溝状に形成してある。
同図に示すごとく、上治具プレート５の複数の上側連通穴５１において、上側挿入口５１１と上側収容空間５１２とは、２つの平面方向のうちの第２スライド方向Ｓ２に沿って連通形成してある。また、図４に示すごとく、上側収容空間５１２は、第２スライド方向Ｓ２に沿って形成してあると共に、上記上側天井部５１３を残したザグリ形状に形成してある。
【００４３】
また、図１１に示すごとく、下治具プレート４の複数の下側連通穴４１において、下側挿入溝４１２の溝先端部４１２Ａの中心から下側通過口４１１の中心までの長さＬ１は、ボルト８の頭部８１の外径の０．５倍以上１倍以下の長さにしてある。本例の下側挿入溝４１２の溝先端部４１２Ａの中心から下側通過口４１１の中心までの長さＬ１は、ボルト８の頭部８１の外径の約２／３の長さにしてある。これにより、下側挿入溝４１２の形成距離を長くし過ぎることなく、ボルト８の軸部８２を下側挿入溝４１２に確実に起立保持することができる。なお、下側挿入溝４１２の溝先端部４１２Ａの中心とは、この溝先端部４１２Ａ内にボルト８の軸部８２を配置したときのボルト８の中心位置のことをいう。
【００４４】
また、図１１に示すごとく、上治具プレート５の複数の上側連通穴５１において、上側収容空間５１２の空間先端部５１２Ａの中心から上側挿入口５１１の中心までの長さＬ２は、ボルト８の頭部８１の外径の０．５倍以上１倍以下の長さにしてある。本例の上側収容空間５１２の空間先端部５１２Ａの中心から上側挿入口５１１の中心までの長さＬ２は、ボルト８の頭部８１の外径の約２／３の長さにしてある。これにより、上側収容空間５１２の形成距離を長くし過ぎることなく、ボルト８の頭部８１を上側収容空間５１２内に確実に収容することができる。なお、上側収容空間５１２の空間先端部５１２Ａの中心とは、この空間先端部５１２Ａ内にボルト８の頭部８１を配置したときのボルト８の中心位置のことをいう。
【００４５】
図５に示すごとく、本例の基準台３は、ベースプレート２に複数の連結部材３１１を介して下側から固定した基準プレート３１と、ベースプレート２における複数の保持穴２１の形成位置に対応して基準プレート３１上に設けた複数の基準ブロック３２とからなる。
図１に示すごとく、本例のボルト供給治具１においては、上治具プレート５及び下治具プレート４をベースプレート２上に配置したときには、基準ブロック３２の上面から下治具プレート４の上面までの距離が、長さの判別を行うボルト８の軸部８２の正規長さとなっている。ここで、ボルト８の軸部８２の正規長さとは、所定のボルト穴７１１に対して設計上設定された軸部８２の正しい長さのことをいう。
【００４６】
また、本例においては、図１、図１２に示すごとく、上治具プレート５及び下治具プレート４をベースプレート２の上に配置したときには、下治具プレート４とベースプレート２との間には、所定の間隙１２（本例では１ｍｍの間隙１２）が形成される。そして、本例においては、ベースプレート２の上面から基準プレート３１の上面までの高さから、各基準ブロック３２の高さを差し引いた距離に、下治具プレート４の厚みと、間隙１２の距離とを加えた寸法が、ボルト８の軸部８２の正規長さとなるよう設定してある。
【００４７】
上記複数の基準ブロック３２を用いることにより、各ボルト８毎に基準ブロック３２の高さを設定することができる。そのため、被締結部品７へ供給する複数本のボルト８の軸部８２同士の設計上の長さが異なる場合には、各ボルト８の軸部８２の長さに対応して、高さが異なる複数種類の基準ブロック３２を用いることができる。例えば、図５において、基準ブロック３２の高さを変更した場合を破線によって示す。
【００４８】
また、図４に示すごとく、上治具プレート５と下治具プレート４とは、互いにスライド可能な状態で複数の連結ピン１１によって連結してある。図３に示すごとく、下治具プレート４には、第１スライド方向Ｓ１に沿って連結ピン１１を摺動させる下側摺動穴４２が形成してあり、上治具プレート５には、第２スライド方向Ｓ２に沿って連結ピン１１を摺動させる上側摺動穴５２が形成してある。
図４に示すごとく、本例の複数の連結ピン１１は、その下端部に配置する頭部１１１と、この頭部１１１に連結した軸部１１２とを有している。そして、各連結ピン１１は、軸部１１２を下側摺動穴４２及び上側摺動穴５２内に配置し、上端部から軸部１１２に対してネジ止めすることによって、上治具プレート５と下治具プレート４とを挟持している。
【００４９】
また、同図に示すごとく、上治具プレート５及び下治具プレート４は、複数の連結ピン１１の頭部（下端部）１１１を、ベースプレート２に形成した複数の位置決め凹部２２内に配置することによって、ベースプレート２に対する位置決めが行われる。また、複数の連結ピン１１の頭部１１１を各位置決め凹部２２内に配置したときには、頭部１１１の下端面が位置決め凹部２２の底面に載置されて、下治具プレート４とベースプレート２との間に、上記所定の間隙１２が形成される（図１参照）。この間隙１２を形成したことにより、例えば、ベースプレート２上に、埃や塵等の異物が堆積された場合でも、ベースプレート２上において、上治具プレート５及び下治具プレート４を安定して相対的にスライドさせることができる。
【００５０】
また、図３、図４に示すごとく、上治具プレート５には、位置固定用プランジャ５３が設けてあり、下治具プレート４には、位置固定用プランジャ５３における出没可能ボール５３１を２つのスライド方向にガイドするガイド溝部４３１と、出没可能ボール５３１を保持するボール保持凹部４３２とが設けてある。なお、位置固定用プランジャ５３において出没可能ボール５３１は、圧縮バネによる弾性復帰力を受けて位置固定用プランジャ５３の先端に出没可能である。
【００５１】
そして、図７〜図１０に示すごとく、上治具プレート５及び下治具プレート４は、出没可能ボール５３１をガイド溝部４３１に沿って相対的に移動させることによって、上記原位置４０１、第１スライド位置４０２、第２スライド位置４０３及び供給位置４０４の４つの位置にスライドすることができる。また、上治具プレート５及び下治具プレート４は、出没可能ボール５３１をボール保持凹部４３２内に保持させることによって、上記４つの位置に安定して固定（維持）することができる。
【００５２】
本例のボルト供給治具１において、複数本のボルト８の軸部８２の長さに誤りがないかを判定する際には、図１に示すごとく、上治具プレート５及び下治具プレート４を、ベースプレート２及び基準台３に対する規定位置にセットする。このとき、図７に示すごとく、下治具プレート４と上治具プレート５とは、複数の上側連通穴５１における上側挿入口５１１と、複数の下側連通穴４１における下側通過口４１１とが上下に対向する原位置４０１にすることにより、図１１〜図１３に示すごとく、上側挿入口５１１及び下側通過口４１１は、ベースプレート２における保持穴２１と上下に対向する。そして、上下に対向した上側挿入口５１１、下側通過口４１１及び保持穴２１を介して、複数本のボルト８を基準台３上に載置する。
【００５３】
次いで、第１判別動作として、基準台３上に載置した複数本のボルト８の軸部８２が短くないか否かを判別する。具体的には、図８に示すごとく、上記複数本のボルト８を基準台３上に載置した状態において、上治具プレート５及び下治具プレート４を、複数の上側連通穴５１における上側挿入口５１１と、複数の下側連通穴４１における下側挿入溝４１２とが上下に対向する第１スライド位置４０２に相対的にスライドさせようとする。
【００５４】
このとき、複数本のボルト８の軸部８２が短くない場合には、図１４、図１５に示すごとく、当該複数本のボルト８は、その頭部８１が下側挿入溝４１２の上側に配置され、その軸部８２が下側挿入溝４１２内に挿入される。そのため、この場合には、上治具プレート５及び下治具プレート４を第１スライド位置４０２に相対的にスライドさせることができ、複数本のボルト８の軸部８２が短くないことを判別することができる。
【００５５】
一方、仮に、複数本のボルト８の軸部８２のうちのいずれかが短い場合には、図１６に示すごとく、当該短いボルト８Ａは、その頭部８１が下側挿入溝４１２の入口部に干渉し、その軸部８２が下側挿入溝４１２内に挿入されない。そのため、この場合には、上治具プレート５及び下治具プレート４を第１スライド位置４０２に相対的にスライドさせることができず、複数本のボルト８の中に、軸部８２の長さが短い異種ボルト８Ａが混入したことを認知することができる。
【００５６】
また、上記第１判別動作を行う際には、第２判別動作として、基準台３上に載置した複数本のボルト８の軸部８２が長くないか否かを判別する。具体的には、図９に示すごとく、上記複数本のボルト８を基準台３上に載置した状態において、上治具プレート５及び下治具プレート４を、複数の上側連通穴５１における上側収容空間５１２と、複数の下側連通穴４１における下側挿入溝４１２とが上下に対向する第２スライド位置４０３に相対的にスライドさせようとする。
【００５７】
このとき、複数本のボルト８の軸部８２が長くない場合には、図１７、図１８に示すごとく、当該複数本のボルト８は、その頭部８１が上側天井部５１３に干渉することなく上側収容空間５１２内に収容される。そのため、この場合には、上治具プレート５及び下治具プレート４を第２スライド位置４０３に相対的にスライドさせることができ、複数本のボルト８の軸部８２が長くないことを判別することができる。
【００５８】
一方、仮に、複数本のボルト８の軸部８２のうちのいずれかが長い場合には、図１９に示すごとく、当該長いボルト８Ｂは、その頭部８１が上側天井部５１３の入口部に干渉し、上側収容空間５１２内に収容されない。そのため、この場合には、上治具プレート５及び下治具プレート４を第２スライド位置４０３に相対的にスライドさせることができず、複数本のボルト８の中に、軸部８２の長さが長い異種ボルト８Ｂが混入したことを認知することができる。
【００５９】
なお、上記第１判別動作と第２判別動作とは、いずれかを先にして順番に行うことができ、また、上記第１判別動作と第２判別動作とは、同時に行うこともできる。
また、上記ボルト８の軸部８２の長さの判別を行う際には、複数本のボルト８の配置状態を、被締結部品７における複数のボルト穴７１１の形成状態に合わせることができる。
【００６０】
次いで、供給動作として、複数本のボルト８を被締結部品７における複数のボルト穴７１１へ供給する。具体的には、図２に示すごとく、上治具プレート５及び上記下治具プレート４をベースプレート２から分離させると共に、上治具プレート５及び下治具プレート４を被締結部品７における複数のボルト穴７１１の形成位置まで移動させる。
【００６１】
そして、上治具プレート５及び下治具プレート４に保持した各ボルト８の軸部８２を、各ボルト穴７１１の上部に配置する又は各ボルト穴７１１内に挿入して、図１０、図２０、図２１に示すごとく、上治具プレート５及び下治具プレート４を、複数の上側連通穴５１における上側収容空間５１２と、複数の下側連通穴４１における下側通過口４１１とが対向する供給位置４０４に相対的にスライドさせる。これにより、複数本のボルト８の頭部８１を下側通過口４１１を介して下方へ抜き出し、当該複数本のボルト８を複数のボルト穴７１１へ同時に供給することができる。
なお、各ボルト８の軸部８２を各ボルト穴７１１へ挿入するときには、頭部８１が上側天井部５１３に当接することによって、各ボルト８の上方への浮き上がりが防止される。
【００６２】
以上のように、本例のボルト供給治具１によれば、複数本のボルト８の軸部８２が短くも長くもなく、設計上設定された正しい長さの正規ボルト８であることを認知した後に、当該複数本のボルト８を、被締結部品７における複数のボルト穴７１１へ位置決めを行った状態で同時に供給することができる。
【００６３】
なお、図２２〜図２５に示すごとく、上治具プレート５と下治具プレート４とは、１つのスライド方向へ相対的にスライド可能とすることもできる。この場合に、下治具プレート４の複数の下側連通穴４１において、下側通過口４１１と下側挿入溝４１２とは、１つのスライド方向Ｓ３に沿って連通形成し、上治具プレート５の複数の上側連通穴５１において、上側挿入口５１１と上側収容空間５１２とは、１つのスライド方向Ｓ３に沿って連通形成することができる。
【００６４】
そして、この場合において、上治具プレート５と下治具プレート４とは、図２２に示すごとく、上側挿入口５１１と下側通過口４１１とが上下に対向する原位置４０１と、図２３に示すごとく、上側挿入口５１１と下側挿入溝４１２とが上下に対向する第１スライド位置４０２と、図２４に示すごとく、上側収容空間５１２と下側挿入溝４１２とが上下に対向する第２スライド位置４０３と、図２５に示すごとく、上側収容空間５１２と下側通過口４１１とが上下に対向する供給位置４０４とに相対的にスライドすることができる。
【００６５】
また、下治具プレート４の複数の下側連通穴４１において、下側挿入溝４１２は、図２６に示すごとく、段差ザクリ形状４１２Ａに形成することもできる。この場合においても、図２７に示すごとく、第１スライド位置４０２にスライドさせると共に、図２８に示すごとく、第２スライド位置４０３にスライドさせて、上記と同様に、複数本のボルト８の軸部８２の長さに誤りがないかを判別することができる。
【図面の簡単な説明】
【００６６】
【図１】実施例における、ボルト供給治具を示す断面説明図。
【図２】実施例における、被締結部品まで移動させた状態の上治具プレート及び下治具プレートを示す断面説明図。
【図３】実施例における、上治具プレート及び下治具プレートを示す平面説明図。
【図４】実施例における、上治具プレート及び下治具プレートを示す断面説明図。
【図５】実施例における、ベースプレート及び基準台を示す断面説明図。
【図６】実施例における、ベースプレートを示す平面説明図。
【図７】実施例における、上治具プレート及び下治具プレートが原位置にある状態のボルト供給治具を示す平面説明図。
【図８】実施例における、上治具プレート及び下治具プレートを第１スライド位置へ相対的にスライドさせた状態のボルト供給治具を示す平面説明図。
【図９】実施例における、上治具プレート及び下治具プレートを第２スライド位置へ相対的にスライドさせた状態のボルト供給治具を示す平面説明図。
【図１０】実施例における、上治具プレート及び下治具プレートを、被締結部品の上方において供給位置へ相対的にスライドさせた状態を示す平面説明図。
【図１１】実施例における、上治具プレート及び下治具プレートが原位置にある状態を拡大して示す平面説明図。
【図１２】実施例における、上治具プレート及び下治具プレートが原位置にある状態を拡大して示す図で、図１１におけるＡ−Ａ線矢視断面説明図。
【図１３】実施例における、上治具プレート及び下治具プレートが原位置にある状態を拡大して示す図で、図１１におけるＢ−Ｂ線矢視断面説明図。
【図１４】実施例における、上治具プレート及び下治具プレートを第１スライド位置へ相対的にスライドさせた状態を拡大して示す平面説明図。
【図１５】実施例における、上治具プレート及び下治具プレートを第１スライド位置へ相対的にスライドさせた状態を拡大して示す図で、図１１におけるＡ−Ａ線矢視相当の断面説明図。
【図１６】実施例における、上治具プレート及び下治具プレートを第１スライド位置へ相対的にスライドさせることができなかった状態を拡大して示す図で、図１１におけるＡ−Ａ線矢視相当の断面説明図。
【図１７】実施例における、上治具プレート及び下治具プレートを第２スライド位置へ相対的にスライドさせた状態を拡大して示す平面説明図。
【図１８】実施例における、上治具プレート及び下治具プレートを第２スライド位置へ相対的にスライドさせた状態を拡大して示す図で、図１１におけるＢ−Ｂ線矢視相当の断面説明図。
【図１９】実施例における、上治具プレート及び下治具プレートを第２スライド位置へ相対的にスライドさせることができなかった状態を拡大して示す図で、図１１におけるＢ−Ｂ線矢視相当の断面説明図。
【図２０】実施例における、上治具プレート及び下治具プレートを、被締結部品の上方において供給位置へ相対的にスライドさせた状態を拡大して示す平面説明図。
【図２１】実施例における、上治具プレート及び下治具プレートを、被締結部品の上方において供給位置へ相対的にスライドさせた状態を拡大して示す図で、図１１におけるＢ−Ｂ線矢視相当の断面説明図。
【図２２】実施例における、他の上治具プレート及び他の下治具プレートが原位置にある状態を拡大して示す平面説明図。
【図２３】実施例における、他の上治具プレート及び他の下治具プレートを第１スライド位置へ相対的にスライドさせた状態を拡大して示す平面説明図。
【図２４】実施例における、他の上治具プレート及び他の下治具プレートを第２スライド位置へ相対的にスライドさせた状態を拡大して示す平面説明図。
【図２５】実施例における、他の上治具プレート及び他の下治具プレートを、被締結部品の上方において供給位置へ相対的にスライドさせた状態を拡大して示す平面説明図。
【図２６】実施例における、上治具プレート及び他の下治具プレートが原位置にある状態を拡大して示す平面説明図。
【図２７】実施例における、上治具プレート及び他の下治具プレートを第１スライド位置へ相対的にスライドさせた状態を示す図で、図１１におけるＡ−Ａ線矢視相当の断面説明図。
【図２８】実施例における、上治具プレート及び他の下治具プレートを第１スライド位置へ相対的にスライドさせた状態を示す図で、図１１におけるＢ−Ｂ線矢視相当の断面説明図。
【符号の説明】
【００６７】
１  ボルト供給治具
１１  連結ピン
１２  間隙
２  ベースプレート
２１  保持穴
２２  位置決め凹部
３  基準台
３１  基準プレート
３２  基準ブロック
４  下治具プレート
４０１  原位置
４０２  第１スライド位置
４０３  第２スライド位置
４０４  供給位置
４１  下側連通穴
４１１  下側通過口
４１２  下側挿入溝
４２  下側摺動穴
４３１  ガイド溝部
４３２  ボール保持凹部
５  上治具プレート
５１  上側連通穴
５１１  上側挿入口
５１２  上側収容空間
５１３  上側天井部
５２  上側摺動穴
５３  位置固定用プランジャ
７  被締結部品
７１１  ボルト穴
８  ボルト
８１  頭部
８２  軸部
Ｓ１  第１スライド方向
Ｓ２  第２スライド方向
【図１】
2008142865.tif 000003
【図２】
2008142865.tif 000004
【図３】
2008142865.tif 000005
【図４】
2008142865.tif 000006
【図５】
2008142865.tif 000007
【図６】
2008142865.tif 000008
【図７】
2008142865.tif 000009
【図８】
2008142865.tif 000010
【図９】
2008142865.tif 000011
【図１０】
2008142865.tif 000012
【図１１】
2008142865.tif 000013
【図１２】
2008142865.tif 000014
【図１３】
2008142865.tif 000015
【図１４】
2008142865.tif 000016
【図１５】
2008142865.tif 000017
【図１６】
2008142865.tif 000018
【図１７】
2008142865.tif 000019
【図１８】
2008142865.tif 000020
【図１９】
2008142865.tif 000021
【図２０】
2008142865.tif 000022
【図２１】
2008142865.tif 000023
【図２２】
2008142865.tif 000024
【図２３】
2008142865.tif 000025
【図２４】
2008142865.tif 000026
【図２５】
2008142865.tif 000027
【図２６】
2008142865.tif 000028
【図２７】
2008142865.tif 000029
【図２８】
2008142865.tif 000030